(57)【要約】本発明は、電源電圧に接続される電源７と、電子装置１を動作状態からエネルギー節約状態に、逆にエネルギー節約状態から動作状態に制御する評価ユニット４とを有する、動作状態と少なくとも１つのエネルギー節約状態とをとることができる電子装置１に関する。評価ユニットは、エネルギー節約状態をとるために評価ユニット４により電源７がオフにされ、動作状態をとるために再びオンにされる方式で電源７に接続され、評価ユニットは、少なくとも電源のオフ状態において、電子装置に標準のインタフェースを介して接続される別の電子装置からのエネルギー、及び／又はキャパシタからのエネルギー及び／又はアキュムレータからのエネルギー及び／又は太陽電池からのエネルギーが供給される。また、本発明は、少なくとも１つのエネルギー節約状態において電子装置を制御する方法、コンピュータ、及びコンピュータ及び電子装置から構成されるアレンジメントに関する。
2011504257.tif 000002
【特許請求の範囲】
【請求項１】
動作状態と少なくとも１つのエネルギー節約状態とをとることができる電子装置であって、
電源電圧に接続される電源と、
前記電子装置を動作状態からエネルギー節約状態へ、エネルギー節約状態から動作状態へ制御する評価ユニットであって、エネルギー節約状態をとるために前記評価ユニットにより前記電源がオフにされ、動作状態をとるために前記電源が再びオンにされるように前記電源に接続される評価ユニットと、
前記評価ユニットには、少なくとも前記電源のオフ状態において、前記電子装置に標準のインタフェースを介して接続される別の電子装置からのエネルギー、及び／又はキャパシタからのエネルギー、及び／又はアキュムレータからのエネルギー、及び／又は太陽電池からのエネルギーが供給される、
ことを特徴とする電子装置。
【請求項２】
前記電子装置は、モニタ、テレビジョン、コンピュータ又はコピー機である、
ことを特徴とする請求項１記載の電子装置。
【請求項３】
前記他の電子装置は、コンピュータ又は受信機である、
ことを特徴とする請求項１又は２記載の電子装置。
【請求項４】
前記標準のインタフェースは、VGA、DVI、HDMI、DisplayPort又はScartインタフェースである、
ことを特徴とする請求項１乃至３の何れか記載の電子装置。
【請求項５】
前記評価ユニットは、前記電子装置又は前記他の電子装置の不使用の期間を判定する測定装置と結合される、
ことを特徴とする請求項１乃至４の何れか記載の電子装置。
【請求項６】
前記測定装置は、前記他の電子装置に配置され、前記評価ユニットとの結合は、前記標準のインタフェースのコネクションラインを介して実現される、
ことを特徴とする請求項５記載の電子装置。
【請求項７】
前記測定装置は、前記電子装置でのユーザの操作をモニタし、ユーザの操作が行われない時間の後、前記電子装置を動作状態からエネルギー節約状態に切り替えるべきことを前記評価ユニットに報告する、
ことを特徴とする請求項５記載の電子装置。
【請求項８】
前記電源への前記電源電圧のフィードにおいてスイッチが配置され、前記電源は、前記スイッチを動作することでオフにされる、
ことを特徴とする請求項１乃至７の何れか記載の電子装置。
【請求項９】
前記評価ユニットはリレーを有し、前記電源への前記電源電圧のフィードは、前記リレーを開くことで遮断される、
ことを特徴とする請求項１乃至８の何れか記載の電子装置。
【請求項１０】
前記評価ユニットと前記電源との間の接続は、光電子結合として構成される、
ことを特徴とする請求項１乃至７の何れか記載の電子装置。
【請求項１１】
前記評価ユニットはフォトダイオードを有し、前記電源は、前記評価ユニットのフォトダイオードにより制御されるフォトトランジスタに接続される、
ことを特徴とする請求項１０記載の電子装置。
【請求項１２】
前記電源は、パルス幅変調により交流電圧を直流電圧に変換し、この変換のために整流器、チョッパ及び送信機を有し、
前記電源は、前記電源における前記送信機をオフにすることでオフにされる、
ことを特徴とする請求項１乃至７の何れか記載の電子装置。
【請求項１３】
前記電源は、前記パルス幅変調をたとえば０のデューティサイクルに低減することでオフにされる、
ことを特徴とする請求項１乃至７の何れか記載の電子装置。
【請求項１４】
前記キャパシタは、前記電子装置の前記電源に接続され、前記電子装置の前記電源を介して前記電源のオン状態において充電される、
ことを特徴とする請求項１乃至１３の何れか記載の電子装置。
【請求項１５】
前記評価ユニットと前記標準のインタフェースのコネクションラインとの間にトランジスタが配置され、前記トランジスタのベース電力は、前記標準のインタフェースのコネクションラインから生じる、
ことを特徴とする請求項１乃至１４の何れか記載の電子装置。
【請求項１６】
前記太陽電池及び／又は前記アキュムレータは前記キャパシタに接続され、前記キャパシタ及び／又は前記アキュムレータでの充電を維持するために使用される、
ことを特徴とする請求項１乃至１５の何れか記載の電子装置。
【請求項１７】
前記電源が前記電源電圧に手動により接続されるのを可能にするスイッチが設けられる、
ことを特徴とする請求項１乃至１６の何れか記載の電子装置。
【請求項１８】
前記標準のインタフェースは電圧ラインを含み、前記評価ユニットは、前記標準のインタフェースの電圧ラインを評価する、
ことを特徴とする請求項１乃至１７の何れか記載の電子装置。
【請求項１９】
前記標準のインタフェースのコネクションラインは、HSYNC、VSYNCを含み、DVIインタフェースの構成のためにクロックラインを含み、
前記評価ユニットは、前記標準のインタフェースのHSYNC及び／又はVSYNC及び／又はクロックラインを評価する、
ことを特徴とする請求項１乃至１８の何れか記載の電子装置。
【請求項２０】
電圧ラインを含む標準のインタフェースを介して請求項１乃至１９の何れか記載の電子装置に接続するコンピュータであって、
当該コンピュータは、前記評価ユニットを制御するために電圧ラインを遮断するか、又は前記電圧ラインを低電圧レベルに設定する制御装置を有する、
ことを特徴とするコンピュータ。
【請求項２１】
請求項１乃至１９の何れか記載の電子装置と請求項２０記載のコンピュータとから構成されるアレンジメント。
【請求項２２】
請求項１乃至１９の何れか記載の電子装置を動作状態から少なくとも１つのエネルギー節約状態に制御し、少なくとも１つのエネルギー節約状態から動作状態に制御する方法であって、
前記電子装置における評価ユニットが、前記標準のインタフェースのコネクションラインを評価し、
前記電源が前記評価ユニットによりオン及びオフされるように前記評価ユニットが前記電源に接続され、
前記電源がオフにされたとき、前記標準のインタフェースのコネクションラインからのエネルギー、及び／又はキャパシタからのエネルギー、及び／又はアキュムレータからのエネルギー、及び／又は太陽電池からのエネルギーが前記評価ユニットに供給される、
ことを特徴とする方法。
【請求項２３】
請求項１５に記載の少なくとも１つのアレンジメントにおいて、動作状態からエネルギー節約状態に電子装置を制御する方法であって、
前記コンピュータは、前記コンピュータにおける制御装置により前記電子装置とコンピュータとの間の前記標準のインタフェースのコネクションラインにおける電圧ラインを遮断するか、又は前記電圧ラインを低電圧レベルに設定する、
ことを特徴とする方法。
【発明の詳細な説明】
【技術分野】
【０００１】
本発明は、電源電圧に接続される電源と、電子装置を動作状態からエネルギー節約状態へ、逆にエネルギー節約状態から動作状態へ制御する評価ユニットとをもつ、動作状態と少なくとも１つのエネルギー節約状態とをとることができる電子装置に関する。
【背景技術】
【０００２】
たとえばコンピュータに接続されるモニタのような電子装置は、幾つかのエネルギー節約状態をとることができることがある。第一のエネルギー節約状態では、一般に、電子装置において多くの負荷はオフにされ、動作状態への迅速な変化が可能である一方で、最大のエネルギー節約によるエネルギー節約状態を取るため、電子装置における負荷はオフにされ、これにより、例においてモニタとコンピュータとから構成されるシステムのユーザ入力により、コンピュータ上のユーザの入力により、動作状態に戻ることのみが可能である。
【０００３】
モニタでは、たとえばVESA規格では、エネルギー節約状態について幾つかの分類が存在し、エネルギー節約状態は、VESA  ON＝動作状態、VESA  SUSPENDED＝第一のエネルギー節約状態、及びVESA  OFF＝第三のエネルギー節約状態で定義される。
【０００４】
たとえばDVI（Digital  Video  Interface）規格のような他の規格は、同様の定義を有しており、エネルギー節約状態のみが異なって指定される。
【発明の概要】
【発明が解決しようとする課題】
【０００５】
エネルギー節約状態をとることができる全ての電子装置には、共通して電源が設けられているが、最も低いエネルギー節約状態においてさえ、エネルギー節約状態から動作状態への切り替えを開始することができる評価ユニットは、電源を介して電力が供給される必要がある。これは、今まで知られる解決策において、電源はエネルギー節約状態の間に連続動作にあることを意味する。
【０００６】
これは、たとえばモニタにおいて、最も低いエネルギー節約状態においてさえ、１〜２Ｗの電力消費を生じさせる。
【０００７】
したがって、本発明は、このエネルギー節約状態においてさらに、エネルギー節約状態をとることができる電子装置の電力消費量をどのように低減することができるかに関する解決策を提示するという問題に基づいている。
【課題を解決するための手段】
【０００８】
本発明の第一の態様によれば、電源電圧に接続される電源と、電子装置を動作状態からエネルギー節約状態へ、逆にエネルギー節約状態から動作状態に制御する評価ユニットとをもつ、動作状態と少なくとも１つのエネルギー節約状態とをとることができる電子装置により、この問題は解決され、評価ユニットは、エネルギー節約状態をとるために電源が評価ユニットによりオフにされ、動作状態をとるために再びオンにされる方式で電源に接続され、評価ユニットは、標準のインタフェースを介して電子装置に接続される別の電子装置からのエネルギー、及び／又はキャパシタからのエネルギー、及び／又はアキュムレータからのエネルギー、及び／又は太陽電池からのエネルギーが供給される。
【０００９】
標準のインタフェースを介して別の電子装置からのエネルギー、又はキャパシタからのエネルギー、又はアキュムレータからのエネルギー、又は太陽電池からのエネルギー、或いはこれらの代替の組み合わせからのエネルギーを評価ユニットに供給することは、評価ユニットがエネルギー節約状態において電源電圧からの電流を消費することができないこと、それにもかかわらずエネルギー節約状態から動作状態に状態が変化されるべきかを認識するためにエネルギーが供給されることが保証される。
【００１０】
エネルギーの節約は、電源をオフにすることで達成され、これは、本願発明における解決策では、評価ユニットに電力を供給するために連続動作にあるままである。評価ユニットは、約５００ｍＷを消費する。一方で、電源は、スタンバイにおいて約１〜２Ｗを消費する。電源のスタンバイを回避することは、大きなエネルギー節約に関連する。電源をオフにすることで、システムをダメージから保護するという更なる利点が提供される。電子装置の修理の統計では、電源は、故障について１位である。
【００１１】
本願発明に係る装置について、特にコンピュータとモニタとの組み合わせについて、コンピュータがオフにされたとき、モニタもオフであることが前面のLEDを介してモニタで常に指示される。実際に、モニタにおける電源は常にオンであり、コンピュータがオフにされたときでさえ、１〜２Ｗの電力消費量を有する。
【００１２】
電子装置は、既に上述されたように、モニタ、テレビジョン、コンピュータ、又はコピー機、或いはエネルギー節約状態を取ることができる他の電子装置である。
【００１３】
本発明の基本的な考えは、エネルギー節約状態において、電源電圧から僅かな電流が消費されるか、電流が消費されないこと、それでもなお、装置は、たとえばユーザアクションといったアクションにより動作状態に切り替えられることである。
【００１４】
オフ状態において評価ユニットに標準のインタフェースを介して電子装置に接続される別の電子装置からのエネルギーが供給される実施の形態では、有利なことに他の電子装置は、モニタに接続されるコンピュータであるか、テレビジョンに接続される受信機である。
【００１５】
更なる専用のラインコネクションを防止するため、標準のインタフェースが使用される。様々な製造業者及びコンパチビリティからの装置は、実際に更なるラインコネクションを殆ど実現不可能にする。有利なことに、標準のインタフェースは、VGA（Video  Graphic  Array）、DVI（Digital  Video  Interface）、HDMI（High  Definition  Multimedia  Interface）、DisplayPort、又はScartインタフェースとして指定される。
【００１６】
VGA，DVI，HDMI及びDisplayPortのインタフェースは、５又は３．３Ｖライン及び他のシグナルラインを有し、したがって、インタフェースの電圧ライン及び／又は他のシグナルラインからのエネルギーを使用することができる。Scartインタフェースは、５Ｖラインを有さないが、シグナルラインからのエネルギーを使用することができる。
【００１７】
電子装置を動作状態からエネルギー節約状態に制御するため、評価ユニットは、電子装置又は他の装置の不使用の期間を判定する測定装置と有利にも結合される。
【００１８】
コンピュータに結合されるモニタとしての電子装置の実施の形態の例では、測定装置は、他の電子装置、すなわちコンピュータにおいて好適に配置され、評価ユニットとの結合は、標準のインタフェースのコネクションラインを介して実現される。
【００１９】
評価ユニットと結合される測定装置は、電子装置又はたとえばコンピュータのような他の装置でのユーザアクションを好適にモニタし、ユーザアクションが行われない時間後、電子装置が動作状態からエネルギー節約状態に切り替えられるべきであることを評価ユニットに報告する。
【００２０】
電子装置を動作状態からエネルギー節約状態に切り替えることは、たとえば電源への電源電圧の供給におけるスイッチにより実現され、このスイッチは、評価ユニットにより制御される方法で電源がオフにされたときに開かれる。
【００２１】
１実施の形態によれば、このため、評価ユニットはリレーを有しており、電源への電源電圧の供給は、リレーを動作させることで遮断される。
【００２２】
代替的に、評価ユニットと電源との間のコネクションは、光電子結合として設計される。
【００２３】
この実施の形態では、たとえば、評価ユニットはフォトダイオードを含み、電源はフォトトランジスタを含んでおり、フォトトランジスタは、電源がオフ及びオンにされる方法で評価ユニットのフォトダイオードにより制御される。
【００２４】
パルス幅変調を通して直流電圧に交流電圧を変換する電源であって、このために整流器、チョッパ及び送信機を有する電源について、本発明の別の構成に係る電源は、係る電源における送信機をオフにすることでオフにすることができる。
【００２５】
代替的に、送信機をオフにするため、係る電源は、たとえば０デューティサイクルにまでパルス幅変調を低減することでオフにされる。
【００２６】
エネルギーがキャパシタを介して評価ユニットに供給される本発明の構成では、このキャパシタは、電子装置の電源に好適に接続され、電源がオンの状態にあるときにこの電源により充電される。同じことが、アキュムレータによる本発明の構成について当てはまる。
【００２７】
太陽電池及びキャパシタ及び／又はアキュムレータによる電子装置の構成では、太陽電池は、キャパシタ及び／又はアキュムレータに好適に接続され、これにより、太陽電池は、より長い時間についてキャパシタ及び／又はアキュムレータでの充電を維持するために使用される。太陽電池によるこの実施の形態では、キャパシタ及び／又はアキュムレータは、オン状態で電源を介して充電される必要はなく、充電は、代わりに太陽電池のみにより実現される。
【００２８】
電子装置が別の電子装置に標準のインタフェースを介して接続される実施の形態では、キャパシタ及び／又はアキュムレータの充電は、標準のインタフェースのコネクションラインからのエネルギーにより付加的に又は代替的に実現される。
【００２９】
好ましくは、電子装置において、評価ユニットによりオフにされたときに、電源が手動でオンにされるのを可能にするスイッチを提供する可能性もある。この作動の可能性は、たとえばプロダクションと第一の作動の間といった長い間について、電子装置に電流が供給されず、キャパシタ及び／又はアキュムレータが自己放電のために放電される場合に重要である。
【００３０】
この手動による作動の可能性は、電子装置のノーマルパワースイッチと結合され、このスイッチは、一度だけ押される必要があるか、又はＯＮからＯＦＦ、そしてＯＮに切り替えられる必要がある。
【００３１】
電子装置が標準のインタフェースを介して別の電子装置に接続される実施の形態では、評価装置が標準のインタフェースにおいて電圧ラインを評価する場合に好都合である。
【００３２】
電圧レベルの関数として、又は原理的に、電圧が印加されているか否かについて、電子装置は、エネルギー節約状態に制御される。
【００３３】
代替的に又は付加的に、電子装置が別の電子装置に接続されるこの実施の形態では、たとえばHSYNC及びVSYNCのような標準のインタフェースへの他のコネクションライン、又はDVIインタフェース、クロックラインとしての構成も評価ユニットにより評価される。
【００３４】
同期ライン及び／又はクロックラインの評価は、電子装置が動作状態からエネルギー節約状態に制御されるべきことを評価ユニットに報告するため、電圧ラインを評価するために代替的に使用することができる。VESA標準におけるように、たとえば同期ラインのような標準のインタフェースの他のコネクションラインの評価により、電子装置を幾つかのエネルギー節約状態に制御する可能性を可能にし、たとえばHSYNC又はVSYNC、或いはHSYNC及びVSYNCが中断される。標準のインタフェースの電圧ラインと、たとえば同期ライン又はクロックラインのような他のコネクションラインの評価の組み合わせは、幾つかのエネルギー節約状態への電子装置の制御を可能にする。
【００３５】
他の態様によれば、本発明は、電圧ラインを含む標準のインタフェースを介して上述された実施の形態に係る電子装置に接続するコンピュータに関し、このコンピュータは、電圧ラインを遮断するか、又は評価ユニットを制御するために電圧ラインを低電圧レベルに設定する制御ユニットを有する。
【００３６】
同様に、本発明は、係るコンピュータと上述された実施の形態に係る電子装置から構成されるアレンジメントに関する。
【００３７】
さらに、本発明は、少なくとも１つのエネルギー節約状態で上述された実施の形態に係る電子装置をエネルギー節約状態から動作状態に制御する方法に関し、電子装置における評価ユニットは、標準のインタフェースのコネクションラインを評価するか、測定装置は、電子装置を評価して、電子装置が所定時間について使用されていないかを示し、評価ユニットは、電源が評価ユニットによりオフ又はオンにされる方法で電源に接続され、電源がオフにされているとき、評価ユニットには、標準のインタフェースのコネクションラインからのエネルギー及び／又はアキュムレータからのエネルギー及び／又は太陽電池からのエネルギーが供給される。
【図面の簡単な説明】
【００３８】
本発明の他の利点は、従属の請求項において開示され、図面の記載において開示される。以下、本発明は、図示される幾つかの実施の形態を参照して詳細に説明される。
【図１】標準のインタフェースの５又は３．３Ｖラインを介して評価ユニットに電圧が供給される、コンピュータの形態である第二の電子装置に標準のインタフェースを介して接続されるLCDモニタの形態である第一の電子装置の概念図である。
【図２】キャパシタを介して供給される電圧が供給される図１に従う図である。
【図３】アキュムレータにより電圧が供給される図１に従う図である。
【図４】太陽電池及びアキュムレータを介して電圧が供給される図１に従う図である。
【図５】電源の手動による作動の更なる可能性による図２に従う図である。
【図６】標準のインタフェースの更なるコネクションラインの評価との組み合わせにおける図３に従う図である。
【図７】太陽電池との組み合わせにおける図６に従う図である。
【図７ａ】標準のインタフェースのSYNCラインを評価する信号検出器による図７に従う図である。
【図７ｂ】太陽電池との組み合わせにおける図６に従う図であり、標準のインタフェースの５又は３．３Ｖラインへの接続を通した手動による作動の可能性による図７ａに従う図である。
【図８】評価ユニットにおいてマイクロプロセッサをもつ実施の形態の図である。
【図９】共通のモジュールにおけるマイクロプロセッサとスケーラとの構成による図８に従う図である。
【図９ａ】評価ユニットによるDDCラインの評価による図９に従う図である。
【図９ｂ】DisplayPortとLVDSデータを介したモニタパネルのダイレクトコントロールによる実施の形態の図である。
【図１０】コンピュータの形態である他の電子装置の概念図である。
【図１１】評価ユニットと電源との間のシンプルな光電子結合による図１に従う図である。
【図１２】標準のインタフェースの他のコネクションラインの評価による図１１に従う図である。
【図１３】標準のインタフェースの同期信号を評価するスタンバイ認識回路の回路図である。
【図１４】回路図の形態である太陽電池、アキュムレータ又はキャパシタの組み合わせによる図１１に従う実施の形態の図である。
【図１５】図１４に係る構成に従い電源をオフにする回路図である。
【発明を実施するための最良の形態】
【００３９】
図１は、LCDモニタの形態である第一の電子装置１とコンピュータの形態である別の電子装置２とから構成されるアレンジメントの概念図を示す。第一の電子装置１は、標準のインタフェース３を介して他の電子装置２に接続される。図１は、３つの標準のインタフェース３を示しており、１つはVGA規格に従い、１つはVESA規格に従うDisplayPortであり、及び１つはDVI-D規格又はHDMI規格に従う。この図は、標準のインタフェースのうちの唯一が使用されることを示す。実際に、第一の電子装置１は、単一の標準のインタフェース３のみを介して、他の電子装置２に接続される。
【００４０】
標準のインタフェース及びコネクションラインは、仕様に従って厳密に形成され、更なる詳細な説明のため、標準のインタフェースの定義を参照されたい。
【００４１】
電子装置１では、評価ユニット４が構成され、この評価ユニット４は、第一の電子装置１を動作状態からエネルギー節約状態に、逆にエネルギー節約状態から動作状態に制御する。評価ユニット４は、メカニカルなコンポーネントではないが、代わりに論理機能ユニットであり、回路及び電子コンポーネントによるか又は対応するプログラミングによりマイクロプロセッサにより実現される。
【００４２】
電子装置１は、電源電圧に接続する端子５を有する。図示される実施の形態では、２３０Ｖの交流電圧は、端子５に印加される。この交流電圧は、ライン６を介して内部電源７に供給され、ここで交流電圧は、２３０Ｖから５又は１２Ｖの直流電圧に変換される。
【００４３】
電子装置１における全ての負荷は、内部電源７を介して電力が供給される。例として、スケーラコンポーネント８及びパネル９が示されており、これらにより、画像コンテンツが表示される。スケーラコンポーネント８は、VGA規格のインタフェース３にライン１０ａを介して接続され、これにより、たとえばRGB信号のようなVGAインタフェースを介して送信される信号は、スケーラコンポーネントで処理される。
【００４４】
DisplayPortインタフェースとしての構成において、スケーラコンポーネントは、DisplayPort規格のインタフェース３にライン１０ｂを介して接続され、これにより、特にデジタルデータであるデータは、スケーラコンポーネントにおいてDisplayPort規格のインタフェース３を介して処理される。
【００４５】
DVI-D又はHDMIインタフェースによる構成では、スケーラコンポーネントは、標準のインタフェース３にライン１０ｃを介して接続される。
【００４６】
LCDモニタの形態である電子装置１は、画像コンテンツのサイズ及び表現に従う動作状態において約５０〜２００Ｗの電力消費量を有する。コンピュータモニタのエネルギー節約状態では、エネルギー消費量は、いわゆるVESAオフ状態において約１〜２Ｗに等しい。
【００４７】
本発明に係る装置の消費量１〜２Ｗは、評価ユニット３がエネルギー節約状態においてさえエネルギーが供給されなければならない事実に関連する。一般に、評価ユニット４に直流電圧が供給される必要があるため、電源７は、内部で動作される必要がある。評価ユニット４の消費量は、約５００ｍＷである。しかし、電源の動作は、少なくとも１〜２Ｗである。
【００４８】
図１に示される実施の形態では、評価ユニット４には、エネルギー節約状態における標準のインタフェース３のコネクションラインからのエネルギーが供給される。VGAインタフェースとしての標準のインタフェースの構成では、これはピン９であり、これに５Ｖが印加される。DVI-D規格のインタフェース３の構成では、これはピン１４であり、HDMI規格のインタフェース３としての構成では、これはピン１８であり、このインタフェースに接続されるコンピュータの形態である電子装置２がオンにされた場合、それぞれで５Ｖ電圧が印加される。DisplayPort規格のインタフェースとしての構成では、これはピン２０であり、これに３．３Ｖが印加される。
【００４９】
評価ユニット４は、リレー１１を更に有しており、このリレーは、電源電圧の端子５と内部の電源７との間のライン６においてスイッチ１２を通して配置される。リレー１１は、標準のインタフェースのコネクションラインからの５又は３．３Ｖ電圧を介して電力が供給され、電子装置１をエネルギー節約状態に切り替えるためにスイッチ１２を開き、動作状態に切り替えるためにスイッチ１２を再び閉じる。
【００５０】
図示される実施の形態では、リレー１１の制御は、標準のインタフェース３の５又は３．３Ｖラインがオン又はオフにされるか、或いは他の電子装置２により遮断される方式で実現される。
【００５１】
標準のインタフェース３の対応するラインに５又は３．３Ｖの電圧が存在しない場合、リレー１１には、電力が供給されず、その結果、スイッチ１２が開く。したがって、電子装置１は、エネルギー節約状態に入り、この状態では、電源電圧を介して供給されるエネルギーが消費されない。この電源電圧を介して供給される電力に関するエネルギー節約状態における電力消費量は、したがって０Ｗに減少する。
【００５２】
電圧が標準のインタフェース３の対応するラインに再び印加される場合、リレー１１には、電圧が再び供給され、ライン６におけるスイッチ１２が閉じる。電子装置１は、したがって再び動作状態になる。
【００５３】
以下、本発明の更なる実施の形態が説明される。以下の実施の形態では、同じ機能をもつエレメントには同じ参照符号が付され、更に詳細に説明されない。
【００５４】
図２は、標準のインタフェース３の５又は３．３Ｖのラインを介して、及び評価ユニット４にライン１４を介して接続されるキャパシタ１３を介して、電源７のオフ状態において評価ユニット４にエネルギーが供給される実施の形態を示す。このため、評価ユニット４は、トランジスタ１８を有しており、トランジスタ１８のベース電力は、標準のインタフェース３の５又は３．３Ｖのラインを介して供給される。トランジスタ１８が標準のインタフェースの５又は３．３Ｖのラインからの電圧で充電される場合、リレー１１は切り替わり、スイッチ１２は閉じられ、これにより、電子装置１は、エネルギー節約状態から動作状態に切り替わる。
【００５５】
また、リレー１１は、キャパシタ１３にライン１４を介して接続され、これにより、電源７のオフ状態、すなわちエネルギー節約状態における図２に係る実施の形態では、評価ユニット４には、標準のインタフェース３のコネクションラインからのエネルギー及びキャパシタ１３からのエネルギーが供給される。
【００５６】
キャパシタ１３が時間が経つにつれて自己放電を通して放電するケースであって、標準のインタフェース３を介して評価ユニット４のアクチベーションプロセスについて殆どエネルギーが供給されないケースについて、電源ライン６におけるアレンジメントは、スイッチ１２のバイパスライン２０を有し、このラインにおいて、別のスイッチ１９が集積される。リレー１１及びスイッチ１２を介してアクチベーションプロセスのためにエネルギーが殆ど利用可能でないようにキャパシタ１３が放電されるか又は放電されている場合、他のスイッチ１９は、外部から手動で動作され、スイッチ１９を閉じることで端子５の電源電圧に電源７を再び接続するために使用される。
【００５７】
評価ユニット４の制御は、標準のインタフェース３の電圧ラインを介して又は（図２に示されない）同期ラインを介して、或いはDVI、HDMI又はDisplayPortの標準のインタフェースとしての構成のためにクロックラインを介して実現される。
【００５８】
図３は、図２と本質的に同じ実施の形態を示しており、キャパシタ１３の代わりに、少なくとも電子装置１のエネルギー節約状態において評価ユニット４にエネルギーを供給するため、一般に電気化学的なエネルギー蓄積装置であるアキュムレータ１５が使用される。また、アキュムレータ１５は、電源７にライン１４を介して接続され、電子装置１の動作状態に電源７を介して充電される。
【００５９】
図４は、図２に従うアレンジメントを本質的に示しており、評価ユニット４にエネルギーを供給するため、太陽電池１６がライン１７を介して評価ユニット４に接続される。評価ユニット４の制御又は電子装置１がエネルギー節約状態に切り替わるべきかに関する信号伝達は、標準のインタフェース３の５又は３．３Ｖのラインを介して、又は（図４に示されない）標準のインタフェース３の同期又はクロックラインを介して実現される。
【００６０】
図５は、図４に従う実施の形態を本質的に示し、アキュムレータ１５の代わりに、キャパシタ１３が設けられている。一般に定式化されて、エネルギー蓄積装置１３／１５が設けられており、このエネルギー蓄積装置は、第二の電子装置１［sic;2］のオン状態において電源７の５又は３．３Ｖのラインを介して又は太陽電池１６を介して充電される。
【００６１】
エネルギー蓄積装置１３／１５が時間の経過において自己放電を通して放電されるケースであって、標準のインタフェース３を介して評価ユニット４のアクチベーションプロセスのためにエネルギーが殆ど供給されないケースについて、このアレンジメントは、図２に従う構成におけるように、スイッチ１２のバイパスライン２０を有しており、このバイパスラインにおいて、別のスイッチ１９が電源ライン６に集積される。リレー１１及びスイッチ１２を介してアクチベーションプロセスのためにエネルギーが殆ど利用可能でないようにエネルギー蓄積装置１３／１５が放電されるか又は放電されている場合、他のスイッチ１９は、外部から手動で動作され、スイッチ１９を閉じることで端子５における電源電圧に電源７を再び接続するために使用される。
【００６２】
図６は、太陽電池１６を持たない図５に係る実施の形態の変更を示す。HDMIインタフェース及びDisplayPortインタフェースは、DVI-D標準のインタフェースと共に示されるが、個別に描かれていない。
【００６３】
VGA規格のインタフェース３としての構成におけるエネルギー節約状態における評価ユニットの制御について、この実施の形態では、５又は３．３Ｖのラインだけでなく、同期ライン、すなわちHSYNC及びVSYNC用のラインが評価される。DisplayPort、HDMI又はDVI-D標準のインタフェース３としての構成について、５又は３．３Ｖのラインに加えて、評価ユニットが電子装置１をエネルギー節約状態に切り替えるべきか否かに関して評価ユニット４に信号を伝達するためにデータクロックラインも使用される。
【００６４】
標準のインタフェース３における５又は３．３Ｖのラインの代替として又は５又は３．３Ｖのラインに加えて、同期ライン又はデータクロックラインの使用を通して、電子装置１を幾つかのエネルギー節約状態に制御することが可能である。電源が電源電圧から未だ分離されていない中間のエネルギー節約状態においてオフにされる他の負荷［sic;負荷］及びこれがどのように実現されるかは、図６に従う概念図に描かれていない。
【００６５】
最も大きなエネルギー節約を達成するエネルギー節約状態、すなわちVESAオフモードに対応するようなエネルギー節約状態において、第一の電子装置の電源７をオフにし、したがって電源７のスタンバイの消費を節約することが可能である。
【００６６】
モニタ又は第一の電子装置において、したがって、電源は、コンピュータの役割として第二の電子装置をスイッチオフにすることに応じて又は標準のインタフェースの５又は３．３Ｖのラインの中断に応じてオフにされるだけでなく、標準のインタフェースの５又は３．３Ｖのラインとは独立の信号伝達に応じてオフにされる。
【００６７】
たとえば、スタンバイ又はサスペンド或いはオフモードが第一［sic;第二の］電子装置２により信号伝達される場合、評価ユニット４は、この電子装置を評価し、第二の［sic;第一の］電子装置１は、エネルギー節約状態に切り替え、この状態では、端子５を介して供給される電源電圧からのエネルギーが消費されない。
【００６８】
図７は、太陽電池１６をもつ図６に係る実施の形態を示す。太陽電池１６は、エネルギー蓄積装置１３／１５にライン１７を介して接続され、この蓄積装置を充電する。
【００６９】
図７ａは、図７に従う実施の形態に対する変更を表す。簡単のため、VGA標準のインタフェース３のみが描かれている。図７ａに係る実施の形態では、標準のインタフェース３の５又は３．３Ｖの電圧ラインは、評価ユニット４に電力を供給し、評価ユニットを制御するために使用されない。リレー１１には、電源７のオフ状態において、キャパシタ１３又はアキュムレータ１５或いは太陽電池１６からのエネルギーが供給される。トランジスタ１８のベース電力は、太陽電池１６及びキャパシタ１３又はアキュムレータ１５を介して、コネクションライン２１を介して供給される。また、コネクションライン２１は、同期信号を評価する評価ユニット４の一部に電力を供給し、又は、HDMI、DVI-D或いはDisplayPort標準に従う標準のインタフェースの構成について標準のインタフェース３のデータクロック信号に電力を供給する。トランジスタ１８は、電圧で充電されるか、電子装置１がエネルギー節約状態に対応するエネルギー節約状態に切り替えられるべきか又は動作状態に切り替えられるべきかに依存しない。
【００７０】
図７ｂは、図７ａに対する変更を示しており、コネクションライン２１は、この実施の形態では、標準のインタフェース３の５又は３．３Ｖのラインにスイッチ１９を介して接続される。エネルギー蓄積装置１３／１５が放電され、スイッチ１２の作動のために太陽電池１６によりエネルギーが供給されない場合、スイッチ１９は、手動で作動され、この結果、標準のインタフェースの５又は３．３Ｖのラインを介してエネルギーは利用可能にされ、この標準のインタフェースの５又は３．３Ｖのラインからのエネルギーは、スイッチ１２を作動するために使用される。
【００７１】
図８は、ライン６におけるスイッチ１２を開閉するリレー１１がマイクロプロセッサ３１を介して制御される実施の形態を示す。マイクロプロセッサ３１は、標準のインタフェース３の５又は３．３Ｖのラインを介して電力が供給され、標準のインタフェース３の他のラインコネクションを評価する。
【００７２】
ＰＣ、すなわち第二の電子装置２がオンモードにある場合、モニタ、すなわち第一の電子装置１におけるマイクロプロセッサ３１には、ＰＣから標準のインタフェース３を介して５又は３．３Ｖが供給される。標準のインタフェースの５又は３．３Ｖのラインを介してマイクロプロセッサに電力を供給することは、モニタ１がＰＣ２によりスタンバイモードに制御されるときに維持される。制御信号（VGA用のH-sync及びV-sync、DVI，HDMI及びDisplayPort用のクロック）に関連して、マイクロプロセッサ３１は、オン又はスタンバイ（０Ｖ）のどちらの状態をモニタ１がとるべきかを認識する。
【００７３】
ＰＣ２がスタンバイモード又はディープスリープモードにあるか或いはオフにされている場合、標準のインタフェース３の対応するコネクションラインに５又は３．３Ｖが存在せず、モニタ１におけるリレー１１はオフにされる。電子装置２（ＰＣ，ＤＶＤプレーヤ，．．．）からの５又は３．３Ｖの電源がない場合でさえモニタの動作を保証するため、リレーコンタクト、すなわちスイッチ１２をブリッジするスイッチ１９が設けられる。スイッチ１９が閉じられたとき、０Ｗモードがオフにされ、モニタは、電源（２３０Ｖ）で供給される少なくとも０．５〜２Ｗを消費する。
【００７４】
図９は、図８に従う実施の形態を本質的に示し、マイクロプロセッサ３１及びスケーラ８は、共通のモジュール３４、いわゆる集積回路（ＩＣ）に結合される。
【００７５】
図９ａは、図９に対する変更を示す。この実施の形態では、DDC（Display  Data  Channel）データの伝送用の標準のインタフェース３におけるラインが評価される。DDCデータは、Ｉ2Ｃバスで伝送され、標準のインタフェース３とリレー１１との５又は３．３Ｖのライン間のライン接続においてスイッチ３５を制御するため、ラインSDA（システムデータ）及びSCL（システムクロック）が使用される。スイッチ３５は、マイクロコントローラ３１のコンポーネントでもあるロジックコンポーネント３６に集積される。スイッチ３５が閉じられた場合、リレー１１に電力が供給され、スイッチ１２も同様に閉じられる。対照的に、スタンバイ状態がとられるべきDDCデータ信号の場合、スイッチ３５が開かれ、その結果として、リレー１１もスイッチ１２を開く。
【００７６】
図９ｂは、標準のインタフェース３がDisplayPortとして構築される実施の形態を示し、LVDS（Low  Voltage  Differential  Signaling）データは、パネル９に直接に伝送される。リレー１１は、標準のインタフェース３の５又は３．３Ｖのラインに直接に接続される。
【００７７】
図１０は、概念的な表現でコンピュータの形態である他の電子装置２を示す。
【００７８】
電子装置２は、標準のインタフェース３のコネクションラインのために端子２２を有する。標準のインタフェース３は、図１０において更に正確に特定されておらず、VGA又はDVIインタフェース或いはたとえばHDMI又はDisplayPortインタフェースといった他の標準のインタフェースとすることができる。
【００７９】
全てのケースにおいて、標準のインタフェース３は、一般に５Ｖ又は３．３Ｖの電圧ラインである電圧ラインを有する。
【００８０】
電源電圧に接続され、ライン２４を介して端子２２に直流電圧を供給する電源２３は、電子装置２において内部で配置される。
【００８１】
さらに、電子装置２では、測定装置２５が存在し、この測定装置は、たとえばカメラＫ、マウスＴ、又は入力装置Ｅといった入力装置に接続され、入力が行われない時間を測定することができ、又はカメラによりユーザがモニタの前に座っているかを判定することができる。オペレーティングシステムにおいて通常は設定される所定の不活動の時間後、測定装置２５は、接続された制御装置２６に信号を送出し、この信号により、スイッチ２７は、コネクションライン２４、すなわち標準のインタフェース３の５又は３．３Ｖのピン用のラインにおいて開かれる。第一の電子装置１をエネルギー節約状態に制御するため、５又は３．３Ｖのラインは、スイッチ２７を開くことで遮断され、その結果として、第一の電子装置１における評価ユニット４は、この装置をエネルギー節約状態に設定する。制御装置２６及びスイッチ２７は、グラフィックスコントローラ３６の一部である。グラフィックスコントローラ３７は、コンポーネント３８を更に含み、このコンポーネントは、画像データを生成するために使用され、標準のインタフェース３に画像データを供給する。
【００８２】
代替的に、第二の電子装置２では、［オン−オフ］スイッチの代わりに、５又は３．３Ｖのラインが低電圧レベルに切り替えられる。
【００８３】
図１１は、図１に類似した実施の形態において第一の電子装置１と第二の電子装置２から構成されるアレンジメントを示し、電源７は、電源電圧から電源へのフィードライン６におけるスイッチ１２によってオフにされるのではなく、代わりに、この目的のため、シンプルな光結合が使用される。
【００８４】
評価ユニット４は、この目的のためにフォトダイオード２７を有しており、このフォトダイオードは、標準のインタフェースの５又は３．３Ｖの電圧ラインを介して供給される。電源７は、フォトダイオード２７を介して制御される対応するフォトトランジスタ２８を有する。図示される実施の形態では、電源について、交流電圧は、たとえば２３０Ｖの交流電圧から５又は１２Ｖの直流電圧にパルス幅変調器２９を介して変換される。このため、パルス幅変調器は、整流器、チョッパ、又は送信機を有し、フォトトランジスタ２８は、電子装置１を制御してエネルギー節約状態にするため、パルス幅変調２９における送信機をオフにする。
【００８５】
この解決策を通して、０．０５Ｗを下回るエネルギー節約状態における非常に低減された電力消費量は、端子５又はライン６を介して供給される交流電圧から生成される。
【００８６】
送信機をオフにする代替として、パルス幅変調器におけるデューティサイクルの数は、大いに低減されるか、又は０デューティサイクルに設定される。
【００８７】
図１１に従う実施の形態では、評価ユニット４が機能デバイスであり、このケースでは電源７と実際に部分的にオーバラップすることが明らかとなる。これは、評価ユニット４の一部が、たとえば、ここではフォトダイオード２７のような、電源７において配置されるからである。
【００８８】
図１２は、図１１のリファインメントを示し、VGAインタフェースとしての標準のインタフェース３の構成での同期信号又はDVI-Dインタフェースとしての標準のインタフェース３の構成でのクロック信号は、フォトダイオード２７を制御するために使用又は評価される。
【００８９】
この構成を通して、エネルギー節約状態がたとえば同期信号又はクロック信号によるといった、第二の電子装置２により信号伝達されるとき、電源をオフにすることもできる。
【００９０】
標準のインタフェースのコネクションラインからの同期信号又はクロック信号は、制御のために使用されるだけではなく、これらの信号からのエネルギーは、少なくとも電子装置１がエネルギー節約状態にある時間について評価ユニット４に電力を供給するために使用される。
【００９１】
図１３は、接続された装置又は接続された機器が電子装置１の制御をスタンバイ、すなわちエネルギー節約状態にする方法で、VSYNC又はHSYNC或いは両方のSYNC信号ラインの遮断に従って信号伝達を出力するため、標準のインタフェースの垂直又は水平同期信号を評価する評価回路の回路図を示す。
【００９２】
図１３に係る回路では、いわゆる、プロダクト指定ＣＤ４５３８をもつタイマＩＣが設けられる。この回路は、２つのモノフロップを含み、ピン４及び１２への入力が作動される。ピン７及び９は、出力であり、２つのダイオードを介して共通のスタンバイ出力に導かれる。モノフロップの時間特性は、外部キャパシタ及び抵抗により設定され、このキャパシタ及び抵抗は、本実施の形態では、１．５μＦ及び２７ｋΩ又は０．１μＦ及び４７ｋΩで設定される。
【００９３】
VSYNC信号及び／又はHSYNC信号が外部の回路により設定された期間よりも長い期間について中断された場合、この状態を示す信号がスタンバイ出力で生成される。出力７及び９での２つのダイオードは、ここでは、ピン７及び９の出力信号のＯＲ論理接続を表す。信号VSYNC又はHSYNC或いは両方の信号VSYNC及びHSYNCのうちの１つが中断されたとき、スタンバイ信号が生成される。
【００９４】
図１４は、太陽電池、アキュムレータ及び／又はキャパシタ、標準のインタフェースの同期信号の評価、並びにフォトダイオード２７及びフォトトランジスタ２８の光電子結合による実施の形態の回路図を示す。
【００９５】
グレイのバックグランドをもたない領域では、電源７のパルス幅変調器２９が示される。パルス幅変調器２９は、いわゆるＳＭＰＳコントローラ３０を有しており、図示される回路では、電子装置１をエネルギー節約状態に設定するため、ＳＭＰＳコントローラのＦＥＴスイッチとのシンプルな光電子結合を介して電源７がどのようにオフにされるかが示される。
【００９６】
太陽電池１６を通して、アキュムレータ１３，１５はダイオード４を介して充電される。アキュムレータは、HSYNC／VSYNC評価回路の動作電圧を供給する。図１３を参照して記載されるように、評価回路の出力で、HSYNC及び／又はVSYNCが所定時間について中断された場合にスタンバイ信号が出力される。この信号は、発光ダイオード２７とフォトトランジスタ２８による光カプラに誘導される。低電圧の評価回路と電源電圧に直流的に接続される回路との間の光カプラにより潜在的な分離が形成される。電源電圧で動作される回路部分は、シンプルな補助電圧の電源回路を介して電力が供給される。２３０Ｖの電源電圧が整流され、キャパシタにより平滑化され、図示される実施の形態では１０ＭΩである高インピーダンスの抵抗を介して、２６Ｖのツェナー電圧でツェナーダイオードに導かれる。２３０Ｖの交流電圧のうち、２６Ｖに到達する正の半波の一部のみが保持され、これは、回路を動作する２６Ｖの電源電圧として利用可能にされる。上述された光カプラは、たとえば接続されたコンピュータの破壊につながるツェナーダイオードに欠陥がある場合、HSYNC又はVSYNCシグナルラインでの２３０Ｖの交流電圧のフィードバックを防止する。
【００９７】
評価回路の出力に現れるスタンバイ信号は、電子装置が何時エネルギー節約状態に設定されるべきかを示す。これは、以下のように実現される。パルス幅変調器２９は、送信機と直列にスイッチングトランジスタを有し、スイッチングトランジスタにより、送信機はオフにされる。評価回路による信号伝達のため、トランジスタ２８がゲートで制御される。結局、この回路部分における他のトランジスタの結果的なスイッチング状態の切り替えを通して、送信機に直列に接続されるスイッチングトランジスタが作動され、送信機がオフにされる。
【００９８】
送信機での５Ｖの出力は、ダイオード及び抵抗を介して上述されたエネルギー蓄積装置１３，１５に導かれ、これにより、装置のオン状態において、エネルギー蓄積装置は、生成された第二の直流電圧により充電され、太陽電池に割り当てられるだけではない。
【００９９】
図１５では、図１４よりも詳細な回路の配置が示される。左のエリアでは、入力回路が示されており、この入力回路により、２３０Ｖの電源電圧が供給される。フィルタリングの後且つ過電圧保護エレメントの前で、交流電圧が整流器に供給され、正の直流電圧は上側ノードで供給され、整流器の下側ノードはグランドに設定される。正の直流電圧は、記号表示Ｔ９０１をもつ送信機にコイルを介して供給される。コイルと送信機との間のコネクションラインの下に示される回路部分を通して送信機は制御され、この回路は、一般にチョッパとして示される。タスクは、送信機Ｔ９０１が効率的に動作することができるように、比較的高周波の電圧を発生することである。
【０１００】
チョッパは、スイッチモード電源コントローラとしても示される、いわゆるSMPS（Switched  Mode  Power  Supply）コントローラを有している。本実施の形態では、モデルＴＥＡ１５３０ＡＴは、スイッチモード電源コントローラとして使用される。
【０１０１】
本発明は、図示された実施の形態に限定されない。複数の組み合わせから与えられたとき、個々の実施の形態の特徴は、新たな実施の形態を形成するために互いに結合される。
【０１０２】
本発明は、コンピュータ及びモニタに特に限定されるものではないが、代わりに、第一の電子装置はテレビジョンであり、他の電子装置は、テレビジョンを制御する受信機とすることができる。
【符号の説明】
【０１０３】
１：電子装置
２：他の電子装置
３：標準のインタフェース
４：評価ユニット
５：端子
６：ライン
７：電源
８：スケーラコンポーネント
９：パネル
１０ａ，１０ｂ：ライン
１１：リレー
１２：スイッチ
１３：キャパシタ
１４：ライン
１５：アキュムレータ
１６：太陽電池
１７：ライン
１８：トランジスタ
１９：他のスイッチ
２０：バイパスライン
２１：ライン
２２：標準のインタフェースの端子
２３：第二の電子装置における電源
２４：ライン
２５：測定装置
２６：制御装置
２７：フォトダイオード
２８：フォトトランジスタ
２９：パルス幅変調器
３０：ＳＭＰＳコントローラ
３１：マイクロプロセッサ
３４：コモンコンポーネント
３５：スイッチ
３６：ロジックコンポーネント
３７：グラフィックコントローラ
３８：画像データを生成するコンポーネント
Ｋ：カメラ
Ｔ：キーボード
Ｍ：マウス
Ｅ：入力装置
【図１】
2011504257.tif 000003
【図２】
2011504257.tif 000004
【図３】
2011504257.tif 000005
【図４】
2011504257.tif 000006
【図５】
2011504257.tif 000007
【図６】
2011504257.tif 000008
【図７】
2011504257.tif 000009
【図７ａ】
2011504257.tif 000010
【図７ｂ】
2011504257.tif 000011
【図８】
2011504257.tif 000012
【図９】
2011504257.tif 000013
【図９ａ】
2011504257.tif 000014
【図９ｂ】
2011504257.tif 000015
【図１０】
2011504257.tif 000016
【図１１】
2011504257.tif 000017
【図１２】
2011504257.tif 000018
【図１３】
2011504257.tif 000019
【図１４】
2011504257.tif 000020
【図１５】
2011504257.tif 000021
【手続補正書】
【提出日】平成21年9月2日(2009.9.2)
【手続補正１】
【補正対象書類名】明細書
【補正対象項目名】全文
【補正方法】変更
【補正の内容】
【発明の詳細な説明】
【技術分野】
【０００１】
本発明は、電源電圧に接続可能な電源と、電子装置を動作状態からエネルギー節約状態へ、およびこの逆へ制御することができる評価ユニットとをもつ、動作状態と少なくとも１つのエネルギー節約状態とをとることができる電子装置に関するものであり、評価ユニットは、エネルギー節約状態をとるために評価ユニットにより電源をオフにすることができ、動作状態をとるために再びオンにすることができる方式で電源と接続されており、評価ユニットには、少なくとも電源のオフ状態において、電子装置に標準のインタフェースを介して接続される別の電子装置からのエネルギーを供給することができる。
【背景技術】
【０００２】
特許文献１より、モニタの評価ユニットが標準のインタフェースの５Ｖラインを介して供給をうけ、評価ユニットによってモニタの電源をオンオフすることができる解決法が公知である。
【０００３】
標準のインタフェースの５Ｖラインは、コンピュータがオンになっていてモニタがまだオンになっていないときに、モニタのＤＤＣを読み出す役目をする。コンピュータはＤＤＣデータを参照したうえで、どのモニタを始動させるべきなのかを認識する。
【０００４】
５Ｖラインで提供される出力は使用するグラフィックカードに左右され、しばしば極端に低い。
【０００５】
しかし、モニタの評価ユニットは約５００ｍＷを消費する。これに加えて、モニタの電源を実際にオンオフするための出力も必要である。
【０００６】
特許文献１の図１に示されているコンセプトに基づき、少なすぎるエネルギーが標準のインタフェースを介して提供されると、評価ユニットはモニタをオンにすることができなくなる。
【先行技術文献】
【特許文献】
【０００７】
【特許文献１】米国特許出願公開第２００３／０２０４７６１Ａ１号明細書
【発明の概要】
【発明が解決しようとする課題】
【０００８】
したがって、本発明は、この問題に対する解決法を提示するという課題に基づいている。
【課題を解決するための手段】
【０００９】
本発明によるとこの課題は、電子装置がキャパシタ及び／又はアキュムレータ又は太陽電池を有しており、少なくとも電源をオンにするために、キャパシタからの追加のエネルギー及び／又はアキュムレータからのエネルギー及び／又は太陽電池からのエネルギーを提供することができることによって解決される。
【００１０】
キャパシタ及び／又はアキュムレータ及び／又は太陽電池からのエネルギーは、標準のインタフェースを介して提供される出力が低すぎるときに、それにもかかわらず、評価ユニットのための出力と電源をオンにするための出力とが十分に提供されるように作用する。
【００１１】
電子装置を動作状態からエネルギー節約状態へ切り替えることは、たとえば電源への電源電圧の供給におけるスイッチにより実現され、このスイッチは、評価ユニットにより制御される方法で電源がオフにされたときに開かれる。
【００１２】
一実施形態によれば、このため、評価ユニットはリレーを有しており、電源への電源電圧の供給は、リレーを開くことで遮断することができる。
【００１３】
代替的に、評価ユニットと電源との間のコネクションは、光電子結合として設計されていてもよい。
【００１４】
この実施形態では、たとえば、評価ユニットはフォトダイオードを含み、電源はフォトトランジスタを含んでおり、フォトトランジスタは、電源をオフ及びオンにすることができる方法で評価ユニットのフォトダイオードにより制御することができる。
【００１５】
パルス幅変調を通して直流電圧に交流電圧を変換する電源であって、このために整流器、チョッパ及び送信機を有する電源について、本発明の別の構成に係る電源は、係る電源における送信機をオフにすることでオフにすることができる。
【００１６】
代替的に、送信機をオフにするため、係る電源は、たとえば０デューティサイクルにまでパルス幅変調を低減することでオフにすることができる。
【００１７】
エネルギーがキャパシタを介して評価ユニットに供給される本発明の構成では、このキャパシタは、電子装置の電源に好適に接続され、電源がオンの状態にあるときにこの電源により充電される。同じことが、アキュムレータによる本発明の構成について当てはまる。
【００１８】
太陽電池及びキャパシタ及び／又はアキュムレータによる電子装置の構成では、太陽電池は、キャパシタ及び／又はアキュムレータに好適に接続され、これにより、太陽電池は、より長い時間についてキャパシタ及び／又はアキュムレータでの充電を維持するために使用される。太陽電池によるこの実施形態では、キャパシタ及び／又はアキュムレータは、オン状態で電源を介して充電される必要はなく、充電は、代わりに太陽電池のみにより実現することもできる。
【００１９】
電子装置が別の電子装置に標準のインタフェースを介して接続される実施形態では、キャパシタ及び／又はアキュムレータの充電は、標準のインタフェースのコネクションラインからのエネルギーにより付加的に又は代替的に実現することができる。
【００２０】
好ましくは、電子装置において、たとえば評価ユニットによりオフにされたときに、電源が手動でオンにされるのを可能にするスイッチを提供する可能性もある。この作動の可能性は、たとえばプロダクションと第一の作動の間といった長い間について、電子装置に電流が供給されず、キャパシタ及び／又はアキュムレータが自己放電のために放電される場合に重要である。
【００２１】
この手動による作動の可能性は、電子装置のノーマルパワースイッチと結合され、このスイッチは、もう一度だけ押される必要しかなく、又はＯＮからＯＦＦ、そしてＯＮに切り替えられる必要しかない。
【００２２】
好ましい実施形態では、評価ユニットは標準のインタフェースにおいて電圧ラインを評価する。
【００２３】
電圧レベルに依存して、又は原理的に電圧が印加されているか否かに依存して、電子装置は、エネルギー節約状態に制御される。
【００２４】
代替的に又は付加的に、たとえばＨＳＹＮＣ及びＶＳＹＮＣのような標準のインタフェースへの他のコネクションライン、又はＤＶＩインタフェースとして構成される場合のクロックラインも、評価ユニットにより評価することができる。
【００２５】
同期ライン及び／又はクロックラインの評価は、電子装置が動作状態からエネルギー節約状態に制御されるべきことを評価ユニットに報告するために、電圧ラインを評価するために代替的に使用することができる。ＶＥＳＡ標準におけるように、たとえば同期ラインのような標準のインタフェースの他のコネクションラインの評価により、電子装置を幾つかのエネルギー節約状態に制御する可能性を可能にし、たとえばＨＳＹＮＣ又はＶＳＹＮＣ、或いはＨＳＹＮＣ及びＶＳＹＮＣが中断される。標準のインタフェースの電圧ラインと、たとえば同期ライン又はクロックラインのような他のコネクションラインの評価の組み合わせは、同様に幾つかのエネルギー節約状態への電子装置の制御を可能にする。
【００２６】
さらに、本発明は、上述された実施形態に係る電子装置を少なくとも１つのエネルギー節約状態へ、ないしはエネルギー節約状態から再び動作状態へ制御する方法に関し、電子装置における評価ユニットは、標準のインタフェースのコネクションラインを評価するか、又は、電子装置が所定時間について使用されていないことを示す電子装置における測定装置を評価し、評価ユニットは、電源を評価ユニットによりオフまたはオンにすることができる方法で電源に接続され、電源がオフにされているとき、評価ユニットには、標準のインタフェースのコネクションラインからのエネルギー及びキャパシタからのエネルギー及び／又はアキュムレータからのエネルギー及び／又は太陽電池からのエネルギーが供給される。
【００２７】
本発明の他の利点は、従属の請求項において開示され、図面の記載において開示される。
【００２８】
以下、本発明は、図示される幾つかの実施形態を参照して詳細に説明される。
【図面の簡単な説明】
【００２９】
【図１】標準のインタフェースの５又は３．３Ｖラインを介して評価ユニットに電圧が供給される、コンピュータの形態である第二の電子装置に標準のインタフェースを介して接続されるＬＣＤモニタの形態である第一の電子装置の概念図である。
【図２】キャパシタを介して電圧が供給される図１に従う図である。
【図３】アキュムレータにより電圧が供給される図１に従う図である。
【図４】太陽電池及びアキュムレータを介して電圧が供給される図１に従う図である。
【図５】電源の手動による作動の更なる可能性による図２に従う図である。
【図６】標準のインタフェースの更なるコネクションラインの評価との組み合わせにおける図３に従う図である。
【図７】太陽電池との組み合わせにおける図６に従う図である。
【図７ａ】標準のインタフェースのSYNCラインを評価する信号検出器による図７に従う図である。
【図７ｂ】太陽電池との組み合わせにおける図６に従う図であり、標準のインタフェースの５又は３．３Ｖラインへの接続を通した手動による作動の可能性による図７ａに従う図である。
【図８】評価ユニットにおいてマイクロプロセッサをもつ実施の形態の図である。
【図９】共通のモジュールにおけるマイクロプロセッサとスケーラとの構成による図８に従う図である。
【図９ａ】評価ユニットによるDDCラインの評価による図９に従う図である。
【図９ｂ】DisplayPortとLVDSデータを介したモニタパネルのダイレクトコントロールによる実施の形態の図である。
【図１０】コンピュータの形態である他の電子装置の概念図である。
【図１１】評価ユニットと電源との間のシンプルな光電子結合による図１に従う図である。
【図１２】標準のインタフェースの他のコネクションラインの評価による図１１に従う図である。
【図１３】標準のインタフェースの同期信号を評価するスタンバイ認識回路の回路図である。
【図１４】回路図の形態である太陽電池、アキュムレータ又はキャパシタの組み合わせによる図１１に従う実施の形態の図である。
【図１５】図１４に係る構成に従い電源をオフにする回路図である。
【発明を実施するための最良の形態】
【００３０】
図１は、LCDモニタの形態である第一の電子装置１とコンピュータの形態である別の電子装置２とから構成されるアレンジメントの概念図を示す。第一の電子装置１は、標準のインタフェース３を介して他の電子装置２に接続される。図１は、３つの標準のインタフェース３を示しており、１つはVGA規格に従い、１つはVESA規格に従うDisplayPortであり、及び１つはDVI-D規格又はHDMI規格に従う。この図は、標準のインタフェースのうちの唯一が使用されることを示す。実際に、第一の電子装置１は、単一の標準のインタフェース３のみを介して、他の電子装置２に接続される。
【００３１】
標準のインタフェース及びコネクションラインは、仕様に従って厳密に形成され、更なる詳細な説明のため、標準のインタフェースの定義を参照されたい。
【００３２】
電子装置１では、評価ユニット４が構成され、この評価ユニット４は、第一の電子装置１を動作状態からエネルギー節約状態に、逆にエネルギー節約状態から動作状態に制御する。評価ユニット４は、メカニカルなコンポーネントではないが、代わりに論理機能ユニットであり、回路及び電子コンポーネントによるか又は対応するプログラミングによりマイクロプロセッサにより実現される。
【００３３】
電子装置１は、電源電圧に接続する端子５を有する。図示される実施の形態では、２３０Ｖの交流電圧は、端子５に印加される。この交流電圧は、ライン６を介して内部電源７に供給され、ここで交流電圧は、２３０Ｖから５又は１２Ｖの直流電圧に変換される。
【００３４】
電子装置１における全ての負荷は、内部電源７を介して電力が供給される。例として、スケーラコンポーネント８及びパネル９が示されており、これらにより、画像コンテンツが表示される。スケーラコンポーネント８は、VGA規格のインタフェース３にライン１０ａを介して接続され、これにより、たとえばRGB信号のようなVGAインタフェースを介して送信される信号は、スケーラコンポーネントで処理される。
【００３５】
DisplayPortインタフェースとしての構成において、スケーラコンポーネントは、DisplayPort規格のインタフェース３にライン１０ｂを介して接続され、これにより、特にデジタルデータであるデータは、スケーラコンポーネントにおいてDisplayPort規格のインタフェース３を介して処理される。
【００３６】
DVI-D又はHDMIインタフェースによる構成では、スケーラコンポーネントは、標準のインタフェース３にライン１０ｃを介して接続される。
【００３７】
LCDモニタの形態である電子装置１は、画像コンテンツのサイズ及び表現に従う動作状態において約５０〜２００Ｗの電力消費量を有する。コンピュータモニタのエネルギー節約状態では、エネルギー消費量は、いわゆるVESAオフ状態において約１〜２Ｗに等しい。
【００３８】
本発明に係る装置の消費量１〜２Ｗは、評価ユニット３がエネルギー節約状態においてさえエネルギーが供給されなければならない事実に関連する。一般に、評価ユニット４に直流電圧が供給される必要があるため、電源７は、内部で動作される必要がある。評価ユニット４の消費量は、約５００ｍＷである。しかし、電源の動作は、少なくとも１〜２Ｗである。
【００３９】
図１に示される実施の形態では、評価ユニット４には、エネルギー節約状態における標準のインタフェース３のコネクションラインからのエネルギーが供給される。VGAインタフェースとしての標準のインタフェースの構成では、これはピン９であり、これに５Ｖが印加される。DVI-D規格のインタフェース３の構成では、これはピン１４であり、HDMI規格のインタフェース３としての構成では、これはピン１８であり、このインタフェースに接続されるコンピュータの形態である電子装置２がオンにされた場合、それぞれで５Ｖ電圧が印加される。DisplayPort規格のインタフェースとしての構成では、これはピン２０であり、これに３．３Ｖが印加される。
【００４０】
評価ユニット４は、リレー１１を更に有しており、このリレーは、電源電圧の端子５と内部の電源７との間のライン６においてスイッチ１２を通して配置される。リレー１１は、標準のインタフェースのコネクションラインからの５又は３．３Ｖ電圧を介して電力が供給され、電子装置１をエネルギー節約状態に切り替えるためにスイッチ１２を開き、動作状態に切り替えるためにスイッチ１２を再び閉じる。
【００４１】
図示される実施の形態では、リレー１１の制御は、標準のインタフェース３の５又は３．３Ｖラインがオン又はオフにされるか、或いは他の電子装置２により遮断される方式で実現される。
【００４２】
標準のインタフェース３の対応するラインに５又は３．３Ｖの電圧が存在しない場合、リレー１１には、電力が供給されず、その結果、スイッチ１２が開く。したがって、電子装置１は、エネルギー節約状態に入り、この状態では、電源電圧を介して供給されるエネルギーが消費されない。この電源電圧を介して供給される電力に関するエネルギー節約状態における電力消費量は、したがって０Ｗに減少する。
【００４３】
電圧が標準のインタフェース３の対応するラインに再び印加される場合、リレー１１には、電圧が再び供給され、ライン６におけるスイッチ１２が閉じる。電子装置１は、したがって再び動作状態になる。
【００４４】
以下、本発明の更なる実施の形態が説明される。以下の実施の形態では、同じ機能をもつエレメントには同じ参照符号が付され、更に詳細に説明されない。
【００４５】
図２は、標準のインタフェース３の５又は３．３Ｖのラインを介して、及び評価ユニット４にライン１４を介して接続されるキャパシタ１３を介して、電源７のオフ状態において評価ユニット４にエネルギーが供給される実施の形態を示す。このため、評価ユニット４は、トランジスタ１８を有しており、トランジスタ１８のベース電力は、標準のインタフェース３の５又は３．３Ｖのラインを介して供給される。トランジスタ１８が標準のインタフェースの５又は３．３Ｖのラインからの電圧で充電される場合、リレー１１は切り替わり、スイッチ１２は閉じられ、これにより、電子装置１は、エネルギー節約状態から動作状態に切り替わる。
【００４６】
また、リレー１１は、キャパシタ１３にライン１４を介して接続され、これにより、電源７のオフ状態、すなわちエネルギー節約状態における図２に係る実施の形態では、評価ユニット４には、標準のインタフェース３のコネクションラインからのエネルギー及びキャパシタ１３からのエネルギーが供給される。
【００４７】
キャパシタ１３が時間が経つにつれて自己放電を通して放電するケースであって、標準のインタフェース３を介して評価ユニット４のアクチベーションプロセスについて殆どエネルギーが供給されないケースについて、電源ライン６におけるアレンジメントは、スイッチ１２のバイパスライン２０を有し、このラインにおいて、別のスイッチ１９が集積される。リレー１１及びスイッチ１２を介してアクチベーションプロセスのためにエネルギーが殆ど利用可能でないようにキャパシタ１３が放電されるか又は放電されている場合、他のスイッチ１９は、外部から手動で動作され、スイッチ１９を閉じることで端子５の電源電圧に電源７を再び接続するために使用される。
【００４８】
評価ユニット４の制御は、標準のインタフェース３の電圧ラインを介して又は（図２に示されない）同期ラインを介して、或いはDVI、HDMI又はDisplayPortの標準のインタフェースとしての構成のためにクロックラインを介して実現される。
【００４９】
図３は、図２と本質的に同じ実施の形態を示しており、キャパシタ１３の代わりに、少なくとも電子装置１のエネルギー節約状態において評価ユニット４にエネルギーを供給するため、一般に電気化学的なエネルギー蓄積装置であるアキュムレータ１５が使用される。また、アキュムレータ１５は、電源７にライン１４を介して接続され、電子装置１の動作状態に電源７を介して充電される。
【００５０】
図４は、図２に従うアレンジメントを本質的に示しており、評価ユニット４にエネルギーを供給するため、太陽電池１６がライン１７を介して評価ユニット４に接続される。評価ユニット４の制御又は電子装置１がエネルギー節約状態に切り替わるべきかに関する信号伝達は、標準のインタフェース３の５又は３．３Ｖのラインを介して、又は（図４に示されない）標準のインタフェース３の同期又はクロックラインを介して実現される。
【００５１】
図５は、図４に従う実施の形態を本質的に示し、アキュムレータ１５の代わりに、キャパシタ１３が設けられている。一般に定式化されて、エネルギー蓄積装置１３／１５が設けられており、このエネルギー蓄積装置は、第二の電子装置１［sic;2］のオン状態において電源７の５又は３．３Ｖのラインを介して又は太陽電池１６を介して充電される。
【００５２】
エネルギー蓄積装置１３／１５が時間の経過において自己放電を通して放電されるケースであって、標準のインタフェース３を介して評価ユニット４のアクチベーションプロセスのためにエネルギーが殆ど供給されないケースについて、このアレンジメントは、図２に従う構成におけるように、スイッチ１２のバイパスライン２０を有しており、このバイパスラインにおいて、別のスイッチ１９が電源ライン６に集積される。リレー１１及びスイッチ１２を介してアクチベーションプロセスのためにエネルギーが殆ど利用可能でないようにエネルギー蓄積装置１３／１５が放電されるか又は放電されている場合、他のスイッチ１９は、外部から手動で動作され、スイッチ１９を閉じることで端子５における電源電圧に電源７を再び接続するために使用される。
【００５３】
図６は、太陽電池１６を持たない図５に係る実施の形態の変更を示す。HDMIインタフェース及びDisplayPortインタフェースは、DVI-D標準のインタフェースと共に示されるが、個別に描かれていない。
【００５４】
VGA規格のインタフェース３としての構成におけるエネルギー節約状態における評価ユニットの制御について、この実施の形態では、５又は３．３Ｖのラインだけでなく、同期ライン、すなわちHSYNC及びVSYNC用のラインが評価される。DisplayPort、HDMI又はDVI-D標準のインタフェース３としての構成について、５又は３．３Ｖのラインに加えて、評価ユニットが電子装置１をエネルギー節約状態に切り替えるべきか否かに関して評価ユニット４に信号を伝達するためにデータクロックラインも使用される。
【００５５】
標準のインタフェース３における５又は３．３Ｖのラインの代替として又は５又は３．３Ｖのラインに加えて、同期ライン又はデータクロックラインの使用を通して、電子装置１を幾つかのエネルギー節約状態に制御することが可能である。電源が電源電圧から未だ分離されていない中間のエネルギー節約状態においてオフにされる他の負荷［sic;負荷］及びこれがどのように実現されるかは、図６に従う概念図に描かれていない。
【００５６】
最も大きなエネルギー節約を達成するエネルギー節約状態、すなわちVESAオフモードに対応するようなエネルギー節約状態において、第一の電子装置の電源７をオフにし、したがって電源７のスタンバイの消費を節約することが可能である。
【００５７】
モニタ又は第一の電子装置において、したがって、電源は、コンピュータの役割として第二の電子装置をスイッチオフにすることに応じて又は標準のインタフェースの５又は３．３Ｖのラインの中断に応じてオフにされるだけでなく、標準のインタフェースの５又は３．３Ｖのラインとは独立の信号伝達に応じてオフにされる。
【００５８】
たとえば、スタンバイ又はサスペンド或いはオフモードが第一［sic;第二の］電子装置２により信号伝達される場合、評価ユニット４は、この電子装置を評価し、第二の［sic;第一の］電子装置１は、エネルギー節約状態に切り替え、この状態では、端子５を介して供給される電源電圧からのエネルギーが消費されない。
【００５９】
図７は、太陽電池１６をもつ図６に係る実施の形態を示す。太陽電池１６は、エネルギー蓄積装置１３／１５にライン１７を介して接続され、この蓄積装置を充電する。
【００６０】
図７ａは、図７に従う実施の形態に対する変更を表す。簡単のため、VGA標準のインタフェース３のみが描かれている。図７ａに係る実施の形態では、標準のインタフェース３の５又は３．３Ｖの電圧ラインは、評価ユニット４に電力を供給し、評価ユニットを制御するために使用されない。リレー１１には、電源７のオフ状態において、キャパシタ１３又はアキュムレータ１５或いは太陽電池１６からのエネルギーが供給される。トランジスタ１８のベース電力は、太陽電池１６及びキャパシタ１３又はアキュムレータ１５を介して、コネクションライン２１を介して供給される。また、コネクションライン２１は、同期信号を評価する評価ユニット４の一部に電力を供給し、又は、HDMI、DVI-D或いはDisplayPort標準に従う標準のインタフェースの構成について標準のインタフェース３のデータクロック信号に電力を供給する。トランジスタ１８は、電圧で充電されるか、電子装置１がエネルギー節約状態に対応するエネルギー節約状態に切り替えられるべきか又は動作状態に切り替えられるべきかに依存しない。
【００６１】
図７ｂは、図７ａに対する変更を示しており、コネクションライン２１は、この実施の形態では、標準のインタフェース３の５又は３．３Ｖのラインにスイッチ１９を介して接続される。エネルギー蓄積装置１３／１５が放電され、スイッチ１２の作動のために太陽電池１６によりエネルギーが供給されない場合、スイッチ１９は、手動で作動され、この結果、標準のインタフェースの５又は３．３Ｖのラインを介してエネルギーは利用可能にされ、この標準のインタフェースの５又は３．３Ｖのラインからのエネルギーは、スイッチ１２を作動するために使用される。
【００６２】
図８は、ライン６におけるスイッチ１２を開閉するリレー１１がマイクロプロセッサ３１を介して制御される実施の形態を示す。マイクロプロセッサ３１は、標準のインタフェース３の５又は３．３Ｖのラインを介して電力が供給され、標準のインタフェース３の他のラインコネクションを評価する。
【００６３】
ＰＣ、すなわち第二の電子装置２がオンモードにある場合、モニタ、すなわち第一の電子装置１におけるマイクロプロセッサ３１には、ＰＣから標準のインタフェース３を介して５又は３．３Ｖが供給される。標準のインタフェースの５又は３．３Ｖのラインを介してマイクロプロセッサに電力を供給することは、モニタ１がＰＣ２によりスタンバイモードに制御されるときに維持される。制御信号（VGA用のH-sync及びV-sync、DVI，HDMI及びDisplayPort用のクロック）に関連して、マイクロプロセッサ３１は、オン又はスタンバイ（０Ｖ）のどちらの状態をモニタ１がとるべきかを認識する。
【００６４】
ＰＣ２がスタンバイモード又はディープスリープモードにあるか或いはオフにされている場合、標準のインタフェース３の対応するコネクションラインに５又は３．３Ｖが存在せず、モニタ１におけるリレー１１はオフにされる。電子装置２（ＰＣ，ＤＶＤプレーヤ，．．．）からの５又は３．３Ｖの電源がない場合でさえモニタの動作を保証するため、リレーコンタクト、すなわちスイッチ１２をブリッジするスイッチ１９が設けられる。スイッチ１９が閉じられたとき、０Ｗモードがオフにされ、モニタは、電源（２３０Ｖ）で供給される少なくとも０．５〜２Ｗを消費する。
【００６５】
図９は、図８に従う実施の形態を本質的に示し、マイクロプロセッサ３１及びスケーラ８は、共通のモジュール３４、いわゆる集積回路（ＩＣ）に結合される。
【００６６】
図９ａは、図９に対する変更を示す。この実施の形態では、DDC（Display  Data  Channel）データの伝送用の標準のインタフェース３におけるラインが評価される。DDCデータは、Ｉ2Ｃバスで伝送され、標準のインタフェース３とリレー１１との５又は３．３Ｖのライン間のライン接続においてスイッチ３５を制御するため、ラインSDA（システムデータ）及びSCL（システムクロック）が使用される。スイッチ３５は、マイクロコントローラ３１のコンポーネントでもあるロジックコンポーネント３６に集積される。スイッチ３５が閉じられた場合、リレー１１に電力が供給され、スイッチ１２も同様に閉じられる。対照的に、スタンバイ状態がとられるべきDDCデータ信号の場合、スイッチ３５が開かれ、その結果として、リレー１１もスイッチ１２を開く。
【００６７】
図９ｂは、標準のインタフェース３がDisplayPortとして構築される実施の形態を示し、LVDS（Low  Voltage  Differential  Signaling）データは、パネル９に直接に伝送される。リレー１１は、標準のインタフェース３の５又は３．３Ｖのラインに直接に接続される。
【００６８】
図１０は、概念的な表現でコンピュータの形態である他の電子装置２を示す。
【００６９】
電子装置２は、標準のインタフェース３のコネクションラインのために端子２２を有する。標準のインタフェース３は、図１０において更に正確に特定されておらず、VGA又はDVIインタフェース或いはたとえばHDMI又はDisplayPortインタフェースといった他の標準のインタフェースとすることができる。
【００７０】
全てのケースにおいて、標準のインタフェース３は、一般に５Ｖ又は３．３Ｖの電圧ラインである電圧ラインを有する。
【００７１】
電源電圧に接続され、ライン２４を介して端子２２に直流電圧を供給する電源２３は、電子装置２において内部で配置される。
【００７２】
さらに、電子装置２では、測定装置２５が存在し、この測定装置は、たとえばカメラＫ、マウスＴ、又は入力装置Ｅといった入力装置に接続され、入力が行われない時間を測定することができ、又はカメラによりユーザがモニタの前に座っているかを判定することができる。オペレーティングシステムにおいて通常は設定される所定の不活動の時間後、測定装置２５は、接続された制御装置２６に信号を送出し、この信号により、スイッチ２７は、コネクションライン２４、すなわち標準のインタフェース３の５又は３．３Ｖのピン用のラインにおいて開かれる。第一の電子装置１をエネルギー節約状態に制御するため、５又は３．３Ｖのラインは、スイッチ２７を開くことで遮断され、その結果として、第一の電子装置１における評価ユニット４は、この装置をエネルギー節約状態に設定する。制御装置２６及びスイッチ２７は、グラフィックスコントローラ３６の一部である。グラフィックスコントローラ３７は、コンポーネント３８を更に含み、このコンポーネントは、画像データを生成するために使用され、標準のインタフェース３に画像データを供給する。
【００７３】
代替的に、第二の電子装置２では、［オン−オフ］スイッチの代わりに、５又は３．３Ｖのラインが低電圧レベルに切り替えられる。
【００７４】
図１１は、図１に類似した実施の形態において第一の電子装置１と第二の電子装置２から構成されるアレンジメントを示し、電源７は、電源電圧から電源へのフィードライン６におけるスイッチ１２によってオフにされるのではなく、代わりに、この目的のため、シンプルな光結合が使用される。
【００７５】
評価ユニット４は、この目的のためにフォトダイオード２７を有しており、このフォトダイオードは、標準のインタフェースの５又は３．３Ｖの電圧ラインを介して供給される。電源７は、フォトダイオード２７を介して制御される対応するフォトトランジスタ２８を有する。図示される実施の形態では、電源について、交流電圧は、たとえば２３０Ｖの交流電圧から５又は１２Ｖの直流電圧にパルス幅変調器２９を介して変換される。このため、パルス幅変調器は、整流器、チョッパ、又は送信機を有し、フォトトランジスタ２８は、電子装置１を制御してエネルギー節約状態にするため、パルス幅変調２９における送信機をオフにする。
【００７６】
この解決策を通して、０．０５Ｗを下回るエネルギー節約状態における非常に低減された電力消費量は、端子５又はライン６を介して供給される交流電圧から生成される。
【００７７】
送信機をオフにする代替として、パルス幅変調器におけるデューティサイクルの数は、大いに低減されるか、又は０デューティサイクルに設定される。
【００７８】
図１１に従う実施の形態では、評価ユニット４が機能デバイスであり、このケースでは電源７と実際に部分的にオーバラップすることが明らかとなる。これは、評価ユニット４の一部が、たとえば、ここではフォトダイオード２７のような、電源７において配置されるからである。
【００７９】
図１２は、図１１のリファインメントを示し、VGAインタフェースとしての標準のインタフェース３の構成での同期信号又はDVI-Dインタフェースとしての標準のインタフェース３の構成でのクロック信号は、フォトダイオード２７を制御するために使用又は評価される。
【００８０】
この構成を通して、エネルギー節約状態がたとえば同期信号又はクロック信号によるといった、第二の電子装置２により信号伝達されるとき、電源をオフにすることもできる。
【００８１】
標準のインタフェースのコネクションラインからの同期信号又はクロック信号は、制御のために使用されるだけではなく、これらの信号からのエネルギーは、少なくとも電子装置１がエネルギー節約状態にある時間について評価ユニット４に電力を供給するために使用される。
【００８２】
図１３は、接続された装置又は接続された機器が電子装置１の制御をスタンバイ、すなわちエネルギー節約状態にする方法で、VSYNC又はHSYNC或いは両方のSYNC信号ラインの遮断に従って信号伝達を出力するため、標準のインタフェースの垂直又は水平同期信号を評価する評価回路の回路図を示す。
【００８３】
図１３に係る回路では、いわゆる、プロダクト指定ＣＤ４５３８をもつタイマＩＣが設けられる。この回路は、２つのモノフロップを含み、ピン４及び１２への入力が作動される。ピン７及び９は、出力であり、２つのダイオードを介して共通のスタンバイ出力に導かれる。モノフロップの時間特性は、外部キャパシタ及び抵抗により設定され、このキャパシタ及び抵抗は、本実施の形態では、１．５μＦ及び２７ｋΩ又は０．１μＦ及び４７ｋΩで設定される。
【００８４】
VSYNC信号及び／又はHSYNC信号が外部の回路により設定された期間よりも長い期間について中断された場合、この状態を示す信号がスタンバイ出力で生成される。出力７及び９での２つのダイオードは、ここでは、ピン７及び９の出力信号のＯＲ論理接続を表す。信号VSYNC又はHSYNC或いは両方の信号VSYNC及びHSYNCのうちの１つが中断されたとき、スタンバイ信号が生成される。
【００８５】
図１４は、太陽電池、アキュムレータ及び／又はキャパシタ、標準のインタフェースの同期信号の評価、並びにフォトダイオード２７及びフォトトランジスタ２８の光電子結合による実施の形態の回路図を示す。
【００８６】
グレイのバックグランドをもたない領域では、電源７のパルス幅変調器２９が示される。パルス幅変調器２９は、いわゆるＳＭＰＳコントローラ３０を有しており、図示される回路では、電子装置１をエネルギー節約状態に設定するため、ＳＭＰＳコントローラのＦＥＴスイッチとのシンプルな光電子結合を介して電源７がどのようにオフにされるかが示される。
【００８７】
太陽電池１６を通して、アキュムレータ１３，１５はダイオード４を介して充電される。アキュムレータは、HSYNC／VSYNC評価回路の動作電圧を供給する。図１３を参照して記載されるように、評価回路の出力で、HSYNC及び／又はVSYNCが所定時間について中断された場合にスタンバイ信号が出力される。この信号は、発光ダイオード２７とフォトトランジスタ２８による光カプラに誘導される。低電圧の評価回路と電源電圧に直流的に接続される回路との間の光カプラにより潜在的な分離が形成される。電源電圧で動作される回路部分は、シンプルな補助電圧の電源回路を介して電力が供給される。２３０Ｖの電源電圧が整流され、キャパシタにより平滑化され、図示される実施の形態では１０ＭΩである高インピーダンスの抵抗を介して、２６Ｖのツェナー電圧でツェナーダイオードに導かれる。２３０Ｖの交流電圧のうち、２６Ｖに到達する正の半波の一部のみが保持され、これは、回路を動作する２６Ｖの電源電圧として利用可能にされる。上述された光カプラは、たとえば接続されたコンピュータの破壊につながるツェナーダイオードに欠陥がある場合、HSYNC又はVSYNCシグナルラインでの２３０Ｖの交流電圧のフィードバックを防止する。
【００８８】
評価回路の出力に現れるスタンバイ信号は、電子装置が何時エネルギー節約状態に設定されるべきかを示す。これは、以下のように実現される。パルス幅変調器２９は、送信機と直列にスイッチングトランジスタを有し、スイッチングトランジスタにより、送信機はオフにされる。評価回路による信号伝達のため、トランジスタ２８がゲートで制御される。結局、この回路部分における他のトランジスタの結果的なスイッチング状態の切り替えを通して、送信機に直列に接続されるスイッチングトランジスタが作動され、送信機がオフにされる。
【００８９】
送信機での５Ｖの出力は、ダイオード及び抵抗を介して上述されたエネルギー蓄積装置１３，１５に導かれ、これにより、装置のオン状態において、エネルギー蓄積装置は、生成された第二の直流電圧により充電され、太陽電池に割り当てられるだけではない。
【００９０】
図１５では、図１４よりも詳細な回路の配置が示される。左のエリアでは、入力回路が示されており、この入力回路により、２３０Ｖの電源電圧が供給される。フィルタリングの後且つ過電圧保護エレメントの前で、交流電圧が整流器に供給され、正の直流電圧は上側ノードで供給され、整流器の下側ノードはグランドに設定される。正の直流電圧は、記号表示Ｔ９０１をもつ送信機にコイルを介して供給される。コイルと送信機との間のコネクションラインの下に示される回路部分を通して送信機は制御され、この回路は、一般にチョッパとして示される。タスクは、送信機Ｔ９０１が効率的に動作することができるように、比較的高周波の電圧を発生することである。
【００９１】
チョッパは、スイッチモード電源コントローラとしても示される、いわゆるSMPS（Switched  Mode  Power  Supply）コントローラを有している。本実施の形態では、モデルＴＥＡ１５３０ＡＴは、スイッチモード電源コントローラとして使用される。
【００９２】
本発明は、図示された実施の形態に限定されない。複数の組み合わせから与えられたとき、個々の実施の形態の特徴は、新たな実施の形態を形成するために互いに結合される。
【００９３】
本発明は、コンピュータ及びモニタに特に限定されるものではないが、代わりに、第一の電子装置はテレビジョンであり、他の電子装置は、テレビジョンを制御する受信機とすることができる。
【符号の説明】
【００９４】
１：電子装置
２：他の電子装置
３：標準のインタフェース
４：評価ユニット
５：端子
６：ライン
７：電源
８：スケーラコンポーネント
９：パネル
１０ａ，１０ｂ：ライン
１１：リレー
１２：スイッチ
１３：キャパシタ
１４：ライン
１５：アキュムレータ
１６：太陽電池
１７：ライン
１８：トランジスタ
１９：他のスイッチ
２０：バイパスライン
２１：ライン
２２：標準のインタフェースの端子
２３：第二の電子装置における電源
２４：ライン
２５：測定装置
２６：制御装置
２７：フォトダイオード
２８：フォトトランジスタ
２９：パルス幅変調器
３０：ＳＭＰＳコントローラ
３１：マイクロプロセッサ
３４：コモンコンポーネント
３５：スイッチ
３６：ロジックコンポーネント
３７：グラフィックコントローラ
３８：画像データを生成するコンポーネント
Ｋ：カメラ
Ｔ：キーボード
Ｍ：マウス
Ｅ：入力装置
【手続補正２】
【補正対象書類名】特許請求の範囲
【補正対象項目名】全文
【補正方法】変更
【補正の内容】
【特許請求の範囲】
【請求項１】
動作状態と少なくとも１つのエネルギー節約状態とをとることができる電子装置（１）であって、
電源電圧に接続可能な電源（７）と、
前記電子装置（１）を動作状態からエネルギー節約状態へ、およびこの逆へ制御することができる評価ユニット（４）とをもち、
前記評価ユニット（４）は、エネルギー節約状態をとるために前記評価ユニット（４）により前記電源（７）をオフにすることができ、動作状態をとるために再びオンにすることができる方式で前記電源（７）と接続されており、
前記評価ユニット（４）には、少なくとも前記電源（７）のオフ状態において、
前記電子装置（１）に標準のインタフェース（３）を介して接続される別の電子装置（２）からのエネルギーを供給することができる電子装置において、
前記電子装置はキャパシタ（１３）及び／又はアキュムレータ（１５）又は太陽電池（１６）を有しており、少なくとも前記電源をオンにするために、前記キャパシタ（１３）からのエネルギー及び／又は前記アキュムレータ（１５）からのエネルギー及び／又は前記太陽電池（１６）からのエネルギーが提供されることを特徴とする電子装置。
【請求項２】
前記電子装置（１）は、モニタ、テレビジョン、コンピュータ又はコピー機である、
ことを特徴とする請求項１記載の電子装置（１）。
【請求項３】
前記他の電子装置（２）は、コンピュータ又は受信機である、
ことを特徴とする請求項１又は２記載の電子装置（１）。
【請求項４】
前記標準のインタフェース（３）は、ＶＧＡ、ＤＶＩ、ＨＤＭＩ、ＤｉｓｐｌａｙＰｏｒｔ又はＳｃａｒｔインタフェースである、
ことを特徴とする請求項１乃至３の何れか記載の電子装置（１）。
【請求項５】
前記評価ユニット（４）は、前記電子装置（１）又は前記他の電子装置（２）の不使用の期間を判定する測定装置（２５）と結合される、
ことを特徴とする請求項１乃至４の何れか記載の電子装置（１）。
【請求項６】
前記測定装置（２５）は、前記他の電子装置（２）に配置され、前記評価ユニット（４）との結合は、前記標準のインタフェース（３）のコネクションラインを介して実現される、
ことを特徴とする請求項５記載の電子装置（１）。
【請求項７】
前記測定装置（２５）は、前記電子装置（１）でのユーザの操作をモニタし、ユーザの操作が行われない時間の後、前記電子装置（１）を動作状態からエネルギー節約状態に切り替えるべきことを前記評価ユニット（４）に報告する、
ことを特徴とする請求項５記載の電子装置（１）。
【請求項８】
前記電源（７）への前記電源電圧のフィードにおいてスイッチ（１２）が配置され、前記電源（７）は、前記スイッチ（１２）を開くことでオフにされる、
ことを特徴とする請求項１乃至７の何れか記載の電子装置（１）。
【請求項９】
前記評価ユニット（４）はリレー（１１）を有し、前記電源（７）への前記電源電圧のフィードは、前記リレー（１１）を開くことで遮断することができる、
ことを特徴とする請求項１乃至８の何れか記載の電子装置（１）。
【請求項１０】
前記評価ユニット（４）と前記電源（７）との間の接続は、光電子結合として構成される、
ことを特徴とする請求項１乃至７の何れか記載の電子装置（１）。
【請求項１１】
前記評価ユニット（４）はフォトダイオード（２７）を有し、前記電源（７）は、前記評価ユニット（４）の前記フォトダイオード（２７）により制御することができるフォトトランジスタ（２８）に接続される、
ことを特徴とする請求項１０記載の電子装置（１）。
【請求項１２】
前記電源（７）は、パルス幅変調により交流電圧を直流電圧に変換し、この変換のために整流器、チョッパ及び送信機を有し、
前記電源（７）は前記電源における前記送信機をオフにすることでオフにされる、
ことを特徴とする請求項１乃至７の何れか記載の電子装置（１）。
【請求項１３】
前記電源（７）は、前記パルス幅変調をたとえば０のデューティサイクルに低減することでオフにされる、
ことを特徴とする請求項１乃至７の何れか記載の電子装置（１）。
【請求項１４】
前記キャパシタ（１３）は、前記電子装置（１）の前記電源（７）に接続され、前記電子装置（１）の前記電源（７）を介して前記電源（７）のオン状態において充電される、
ことを特徴とする請求項１乃至１３の何れか記載の電子装置（１）。
【請求項１５】
前記評価ユニット（４）と前記標準のインタフェースのコネクションラインとの間にトランジスタ（１８）が配置され、前記トランジスタ（１８）のベース電力は、前記標準のインタフェースのコネクションラインから生じる、
ことを特徴とする請求項１乃至１４の何れか記載の電子装置（１）。
【請求項１６】
前記太陽電池（１６）及び／又は前記アキュムレータ（１５）は前記キャパシタ（１３）に接続され、前記キャパシタ（１３）及び／又は前記アキュムレータ（１５）での充電を維持するために使用される、
ことを特徴とする請求項１乃至１５の何れか記載の電子装置（１）。
【請求項１７】
前記電源（７）が前記電源電圧に手動により接続されるのを可能にするスイッチ（１２）が設けられる、
ことを特徴とする請求項１乃至１６の何れか記載の電子装置（１）。
【請求項１８】
前記標準のインタフェース（３）は電圧ラインを含み、前記評価ユニット（４）は、前記標準のインタフェースの電圧ラインを評価する、
ことを特徴とする請求項１乃至１７の何れか記載の電子装置（１）。
【請求項１９】
前記標準のインタフェース（３）のコネクションラインは、ＨＳＹＮＣ、ＶＳＹＮＣを含み、ＤＶＩインタフェースの構成のためにクロックラインを含み、
前記評価ユニット（４）は、前記標準のインタフェース（３）のＨＳＹＮＣ及び／又はＶＳＹＮＣ及び／又はクロックラインを評価する、
ことを特徴とする請求項１乃至１８の何れか記載の電子装置（１）。
【請求項２０】
請求項１乃至１９の何れか記載の電子装置（１）を動作状態から少なくとも１つのエネルギー節約状態に、及びこれと逆に制御する方法であって、
前記電子装置（１）における評価ユニットが、前記標準のインタフェース（３）のコネクションラインを評価し、
前記電源（７）を前記評価ユニット（４）によりオン及びオフすることができるように前記評価ユニット（４）が前記電源（７）に接続され、
前記電源（７）をオフにするために、
前記標準のインタフェースのコネクションラインからのエネルギー、及び
キャパシタ（１３）からのエネルギー、及び／又は
アキュムレータ（１５）からのエネルギー、及び／又は
太陽電池（１６）からのエネルギーが提供される、
ことを特徴とする方法。
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
動作状態と少なくとも１つのエネルギー節約状態とをとることができる電子装置（１）であって、
電源電圧に接続可能な電源（７）と、
前記電子装置（１）を動作状態からエネルギー節約状態へ、およびこの逆へ制御することができる評価ユニット（４）とをもち、
前記評価ユニット（４）は、エネルギー節約状態をとるために前記評価ユニット（４）により前記電源（７）をオフにすることができ、動作状態をとるために再びオンにすることができる方式で前記電源（７）と接続されており、
前記評価ユニット（４）には、少なくとも前記電源（７）のオフ状態において、
前記電子装置（１）に標準のインタフェース（３）を介して接続される別の電子装置（２）からのエネルギーを供給することができる、電子装置において、
前記電子装置はキャパシタ（１３）及び／又はアキュムレータ（１５）又は太陽電池（１６）を有しており、少なくとも前記電源をオンにするために、前記キャパシタ（１３）からのエネルギー及び／又は前記アキュムレータ（１５）からのエネルギー及び／又は前記太陽電池（１６）からのエネルギーが提供されることを特徴とする電子装置。
【請求項２】
前記電源（７）への前記電源電圧のフィードにおいてスイッチ（１２）が配置され、前記電源（７）は、前記スイッチ（１２）を開くことでオフにされる、
ことを特徴とする請求項１記載の電子装置。
【請求項３】
前記評価ユニット（４）はリレー（１１）を有し、前記電源（７）への前記電源電圧のフィードは、前記リレー（１１）を開くことで遮断することができる、
ことを特徴とする請求項１又は２記載の電子装置。
【請求項４】
前記評価ユニット（４）と前記電源（７）との間の接続は、光電子結合として構成される、
ことを特徴とする請求項１乃至３の何れか記載の電子装置。
【請求項５】
前記評価ユニット（４）はフォトダイオード（２７）を有し、前記電源（７）は、前記評価ユニット（４）の前記フォトダイオード（２７）により制御することができるフォトトランジスタ（２８）に接続される、
ことを特徴とする請求項４記載の電子装置。
【請求項６】
前記電源（７）は、パルス幅変調により交流電圧を直流電圧に変換し、この変換のために整流器、チョッパ及び送信機を有し、
前記電源（７）は前記電源における前記送信機をオフにすることでオフにされる、ことを特徴とする請求項１乃至５の何れか記載の電子装置。
【請求項７】
前記電源（７）は、前記パルス幅変調をたとえば０のデューティサイクルに低減することでオフにされる、
ことを特徴とする請求項６記載の電子装置。
【請求項８】
前記キャパシタ（１３）は、前記電子装置（１）の前記電源（７）に接続され、前記電子装置（１）の前記電源（７）を介して前記電源（７）のオン状態において充電される、
ことを特徴とする請求項１乃至７の何れか記載の電子装置。
【請求項９】
前記評価ユニット（４）と前記標準のインタフェースのコネクションラインとの間にトランジスタ（１８）が配置され、前記トランジスタ（１８）のベース電力は、前記標準のインタフェースのコネクションラインから生じる、
ことを特徴とする請求項１乃至８の何れか記載の電子装置。
【請求項１０】
前記太陽電池（１６）及び／又は前記アキュムレータ（１５）は前記キャパシタ（１３）に接続され、前記キャパシタ（１３）及び／又は前記アキュムレータ（１５）での充電を維持するために使用される、
ことを特徴とする請求項１乃至９の何れか記載の電子装置。
【請求項１１】
前記電源（７）が前記電源電圧に手動により接続されるのを可能にするスイッチ（１２）が設けられる、
ことを特徴とする請求項１乃至１０の何れか記載の電子装置。
【請求項１２】
前記標準のインタフェース（３）は電圧ラインを含み、前記評価ユニット（４）は、前記標準のインタフェースの電圧ラインを評価する、
ことを特徴とする請求項１乃至１１の何れか記載の電子装置。
【請求項１３】
前記標準のインタフェース（３）のコネクションラインは、ＨＳＹＮＣ、ＶＳＹＮＣを含み、ＤＶＩインタフェースの構成のためにクロックラインを含み、
前記評価ユニット（４）は、前記標準のインタフェース（３）のＨＳＹＮＣ及び／又はＶＳＹＮＣ及び／又はクロックラインを評価する、
ことを特徴とする請求項１乃至１２の何れか記載の電子装置。
【請求項１４】
請求項１乃至１３の何れか記載の電子装置（１）を動作状態から少なくとも１つのエネルギー節約状態に、及びこれと逆に制御する方法であって、
前記電子装置（１）における評価ユニットが、前記標準のインタフェース（３）のコネクションラインを評価し、
前記電源（７）を前記評価ユニット（４）によりオン及びオフすることができるように前記評価ユニット（４）が前記電源（７）に接続され、
前記電源（７）をオンにするために、
前記標準のインタフェースのコネクションラインからのエネルギー、及び
キャパシタ（１３）からのエネルギー、及び／又は
アキュムレータ（１５）からのエネルギー、及び／又は
太陽電池（１６）からのエネルギーが提供される、
ことを特徴とする方法。
【国際調査報告】
2011504257.tif 000022
2011504257.tif 000023
2011504257.tif 000024
2011504257.tif 000025
2011504257.tif 000026
2011504257.tif 000027